(57)【要約】      （修正有）【課題】持ち運びが可能な大きさの内照式でパネル差し替え式看板を提供する。【解決手段】光源となるＬＥＤモジュール・光拡散レンズ付を市販の乾電池で点灯させる構造により、薄い厚みとなり軽量化が図れる。本体に標識及び看板となるパネルを取り付けて内照式標識及び内照式看板とする。電源は、市販の乾電池を利用する。【選択図】図６
0003142290.tif 000002
【実用新案登録請求の範囲】
【請求項１】
ＬＥＤモジュール・光拡散レンズ付を光源として、内照式標識及び内照式看板本体を持ち運び可能となる事を特徴とする。
【請求項２】
光源となるＬＥＤモジュール・光拡散レンズ付の電源は市販の乾電池３本（４．５Ｖ〜５Ｖ）または家庭用電源１００Ｖからアダプターを用いて、２通りの電源方式で利用できることを特徴とする。
【考案の詳細な説明】
【技術分野】
【０００１】この考案は屋内、屋外で使用されている内照式標識、内照式看板の構造に関するものである。
【技術背景】
【０００２】従来、内照式標識、内照式看板はさまざまな形の製品が使用されている。しかしながら、それらの光源は市販品の蛍光灯や通常のＬＥＤを使用する構造であった為、１００Ｖの電源を必要とした。
【考案の開示】
【考案が解決しようとする課題】
【０００３】従来、電源がない場所で看板を点灯し使用するには、ＬＥＤを使用する方法であった。ＬＥＤは一つ一つを点灯させ集合体として表示を構成するものであり、そのため表示する文字、模様を変更するのが困難であった。【０００４】電源がない場所での使用の際には、発電設備または蓄電設備が必要であった。
【課題を解決するための手段】
【０００５】ＬＥＤモジュール・光拡散レンズ付を使用する事により、市販の乾電池で点灯できる。それにより持ち運びが可能な大きさの内照式でパネル差し替え式看板ができる。【０００６】ＬＥＤモジュール・光拡散レンズ付とは弾丸型レンズを用いた直進発光ではなく、主に水平全周方向及びモジュール下部方向へ発光するものである。
【考案の効果】
【０００７】ＬＥＤモジュール・光拡散レンズ付は長寿命・省電力であるため環境破壊の防止に有効である。また市販の乾電池が使用できるので持ち運びが可能になる。表示面の内照パネルは差し替え式なので用途に応じて容易に変更できる。【０００８】非常時など電源の無い場所でも発電設備または蓄電設備が不要となる。
【考案を実施するための最良の形態】
【０００９】以下、本考案の実施の形態を写真に基づき説明する。
写真１〜写真４は本考案の実施の形態に係わり、写真１のＬＥＤモジュール・光拡散レンズ付を写真２に示すとおり箱型本体の内側に固定し電池ボックス及びスイッチと接続。写真２のＬＥＤモジュール・光拡散レンズ付設置済みの箱型本体は、写真３のパネル差し込みが可能。写真４は家庭用電源を５Ｖに変圧するアダプターを使用し点灯させた状態。写真５は乾電池を使用しパネルを本体に取り付け点灯させた状態である。以上が本考案の構造である。【００１０】以上、本考案の実施の形態を説明したが、本考案の範囲はこれに限定されるものではない。例えばＬＥＤモジュール・光拡散レンズ付の個数や配置位置、使用する乾電池の種類は状況に応じて適宜選択されるものである。また標識、看板の大きさや形状、パネルの模様は用途よって異なる。
【写真の簡単な説明】
【００１１】
【写真１】
ＬＥＤモジュール・光拡散レンズ付を正面から写した写真である。
【写真２】
本体にＬＥＤモジュール・光拡散レンズ付・電池ボックス・スイッチを固定し接続したときの写真である。
【写真３】
本体にパネルを差し込み途中の写真である。
【写真４】
アダプターを使用し家庭用電源で点灯中の写真である。
【写真５】
写真３の本体に標識及び看板となるパネルを取り付け電池で点灯中の写真である。
0003142290.tif 000003
【手続補正書】
【提出日】平成20年2月29日(2008.2.29)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤモジュール・光拡散レンズ付を本体内部に取り付け市販の乾電池で点灯させ内部照明とする事を特徴とする乾電池式内照看板。
【手続補正２】
【補正対象書類名】明細書
【補正対象項目名】全文
【補正方法】変更
【補正の内容】
【考案の詳細な説明】
【技術分野】
【０００１】この考案は屋内、屋外で使用されている内照式標識、内照式看板の構造に関するものである。
【技術背景】
【０００２】従来、内照式標識、内照式看板はさまざまな形の製品が使用されている。しかしながら、それらの光源は市販品の蛍光灯や通常のＬＥＤを使用する構造であった為、１００Ｖの電源を必要とした。
【考案の開示】
【考案が解決しようとする課題】
【０００３】従来、電源がない場所で看板を点灯し使用するには、ＬＥＤを使用する方法であった。ＬＥＤは一つ一つを点灯させ集合体として表示を構成するものであり、そのため表示する文字、模様を変更するのが困難であった。【０００４】電源がない場所での使用の際には、発電設備または蓄電設備が必要であった。
【課題を解決するための手段】
【０００５】ＬＥＤモジュール・光拡散レンズ付を使用する事により、市販の乾電池で点灯できる。それにより持ち運びが可能な大きさの内照式でパネル差し替え式看板ができる。【０００６】ＬＥＤモジュール・光拡散レンズ付とは弾丸型レンズを用いた直進発光ではなく、主に水平全周方向及びモジュール下部方向へ発光するものである。
【考案の効果】
【０００７】ＬＥＤモジュール・光拡散レンズ付は長寿命・省電力であるため環境破壊の防止に有効である。
また市販の乾電池が使用できるので持ち運びが可能になる。表示面の内照パネルは差し替え式なので用途に応じて容易に変更できる。【０００８】非常時など電源の無い場所でも発電設備または蓄電設備が不要となる。
【考案を実施するための最良の形態】
【０００９】以下、本考案の実施の形態を図面に基づき説明する。
図面１〜図面４は本考案の実施の形態に係わり、図面１のＬＥＤモジュール・光拡散レンズ付を図面２に示すとおり箱型本体の内側に固定し電池ボックス及びスイッチと接続。図面２のＬＥＤモジュール・光拡散レンズ付設置済みの箱型本体は、図面３のパネル差し込みが可能。図面４は家庭用電源を５Ｖに変圧するアダプターを使用し点灯させた状態。図面５は乾電池を使用しパネルを本体に取り付け点灯させた状態である。以上が本考案の構造である。【００１０】以上、本考案の実施の形態を説明したが、本考案の範囲はこれに限定されるものではない。例えばＬＥＤモジュール・光拡散レンズ付の個数や配置位置、使用する乾電池の種類は状況に応じて適宜選択されるものである。また標識、看板の大きさや形状、パネルの模様は用途よって異なる。
【図面の簡単な説明】
【００１１】
【図１】ＬＥＤモジュール・光拡散レンズ付を正面から写した写真である。
【図２】本体にＬＥＤモジュール・光拡散レンズ付・電池ボックス・スイッチを固定し接続したときの写真である。
【図３】本体にパネルを差し込み途中の写真である。
【図４】アダプターを使用し家庭用電源で点灯中の写真である。
【図５】図面３の本体に標識及び看板となるパネルを取り付け電池で点灯中の写真である。
【図６】ＬＥＤモジュール・光拡散レンズ付を乾電池で点灯させ内部照明の状態を写した写真である。
【手続補正３】
【補正対象書類名】図面
【補正対象項目名】全図
【補正方法】追加
【補正の内容】
【図１】
0003142290.tif 000004
【図２】
0003142290.tif 000005
【図３】
0003142290.tif 000006
【図４】
0003142290.tif 000007
【図５】
0003142290.tif 000008
【図６】
0003142290.tif 000009